(57)【要約】【課題】  ネットワーク上で信頼性のある広告情報を安価に長時間閲覧可能にすること。【解決手段】  広告依頼主側に設けられているクライアント端末１００と、クライアント端末１００から送られた広告情報を転送する中継端末３００と、中継端末３００から転送された広告情報を管理するサーバ端末１００とを備え、少なくともサーバ端末１００と中継端末３００とが、ネットワーク５００を介して相互に接続されており、中継端末３００側で、クライアント端末４００から送られた広告情報の信頼性を判別し、判別の結果、信頼性がある場合に、中継端末３００からサーバ端末１００に対してネットワーク５００を介して広告情報を送る。【選択図】    図１
2005275572.tif 000002
【特許請求の範囲】
【請求項１】
広告依頼主側から送られた広告依頼に付帯する広告情報を転送する中継端末と、
前記中継端末から転送された広告情報を管理するサーバ端末とが、ネットワークを介して相互に接続されており、
前記中継端末側で、前記広告依頼主側から送られた広告情報の内容の信頼性を判別し、判別の結果、当該信頼性がある場合に、当該中継端末から当該サーバ端末に対して前記ネットワークを介して前記広告情報を送ることを特徴とする情報広告システム。
【請求項２】
前記中継端末は、前記サーバ端末内に含まれていることを特徴とする請求項１記載の情報広告システム。
【請求項３】
前記中継端末と前記サーバ端末との間で、前記広告情報の通信に先立って、相互に認証を行うことを特徴とする請求項１又は２記載の情報広告システム。
【請求項４】
前記中継端末から広告情報を送るのに先立って、前記中継端末と前記サーバ端末との間で、前記広告情報を暗号化するための公開キーを交換しておき、
前記サーバ端末側は、
前記中継端末から初回の当該広告情報を送る前に当該中継端末に対して秘匿性が保持されるルートを通じて前記広告情報に付加させるパスワードを送り、
前記サーバ端末から当該中継端末に対して広告情報を含む送信対象のデータに前記パスワードを付加してから自己の公開キーを用いて暗号化してなる暗号化データを作成するように促し、
実際に当該中継端末から送られてきた前記暗号化データを自己の公開キーに対応する秘密キーを用いて復号化を行い、
前記中継端末側は、
前記パスワードを付加した広告情報を含む送信対象のデータに前記自己の公開キーを用いて暗号化することによって作成した暗号化データを前記サーバ端末に対して送り、
前記サーバ端末および前記中継端末は、
相手方の端末から送られた暗号化データを記憶する第１の記憶部と、
前記相手方の端末に送る暗号化データを記憶する第２の記憶部と、
前記相手方の端末から送られた暗号化データを前記第１の記憶部に書き込むとともに前記相手方の端末に送信する暗号化データを前記第２の記憶部から読み出す第１の情報処理装置と、
前記第１の記憶部に記憶されている暗号化データを読み出して前記自己の秘密キーを用いて復号化する第２の情報処理装置と、
前記第２の情報処理装置によって復号化されたデータに付加されていたパスワードと前記ルートを通じて送ったパスワードとを認証する認証手段と、
前記認証手段によってパスワード相互の一致が確認されたときに前記第１の記憶部に記憶されている暗号化データを復号化したデータを取得するとともに前記相手方の端末へ送信する暗号化データを前記第２の記憶部に書き込む第３の情報処理装置とを備えることを特徴とする請求項１から３の何れか記載の情報広告システム。
【請求項５】
前記中継端末は、葬儀社、病院、又は新聞広告代理会社に設置されていることを特徴とする請求項１から４の何れか記載の情報広告システム。
【発明の詳細な説明】
【技術分野】
【０００１】
本発明は、情報広告システムに関し、特に、死亡広告、謝罪広告、盗難広告、人事異動広告、各種総会の開催広告、社名変更広告、会社設立広告などの種々の広告に係る情報広告システムに関する。
【背景技術】
【０００２】
従来、死亡広告などの情報は、例えば新聞（日刊紙）に、故人の氏名、死亡日時、死亡原因、葬儀の日時、葬儀の場所、自宅住所、喪主の氏名等とともに、掲載することによって報知していた。
【０００３】
ところが、新聞に死亡広告を掲載しようとすれば、多額の広告掲載費の支払いが必要になる。特に、配布範囲が広い全国紙ともなれば、数百万円もの広告掲載費が必要となる場合がある。
【０００４】
また、特に、新聞は通常、発行日にしか読まれないし、そもそも広告掲載欄は、他の記事欄よりも相対的にスペースが小さい。このため、広告掲載情報が見落とされる場合がある。したがって、十分に広告内容を報知しようとすれば、新聞に一度きりの広告掲載を行っても十分な広告効果が得られない場合がある。
【０００５】
ここで、死亡広告等は、倫理上、広告内容に誤りがあることが許されない。広告依頼主に成りすまして偽の広告情報の掲載依頼がされないとも限らないという点から、インターネットなどのネットワーク上で、広告情報を閲覧可能とすることは困難である。さらに、ハッキングによって広告内容が改ざんされる可能性が否定できないという点からしても、その困難性は否定しにくい。
【０００６】
しかし、ネットワークを用いて広告情報を閲覧可能とすれば、広告掲載費を抑えることも可能であるし、広告を実質的に閲覧可能な期間を長くすることも可能である。このように、ネットワークを用いて広告情報を閲覧可能とできれば、多くのメリットがある。
【０００７】
そこで、本発明は、インターネットなどのネットワーク上で、広告情報を閲覧可能とするために、上記問題点をなくすことを課題とする。
【発明の開示】
【課題を解決するための手段】
【０００８】
上記課題を解決するために、本発明の情報広告システムは、
広告依頼主側から送られた広告依頼に付帯する広告情報を転送する中継端末と、
前記中継端末から転送された広告情報を管理するサーバ端末とが、ネットワークを介して相互に接続されており、
前記中継端末側で、前記広告依頼主側から送られた広告情報の内容の信頼性を判別し、判別の結果、当該信頼性がある場合に、当該中継端末から当該サーバ端末に対して前記ネットワークを介して前記広告情報を送ることを特徴とする。
【０００９】
前記中継端末は、前記サーバ端末内に含まれるようにしてもよい。
【００１０】
また、前記中継端末と前記サーバ端末との間で、前記広告情報の通信に先立って、相互に認証を行うとよい。
【００１１】
さらに、前記中継端末から広告情報を送るのに先立って、前記中継端末と前記サーバ端末との間で、前記広告情報を暗号化するための公開キーを交換しておき、
前記サーバ端末側は、
前記中継端末から初回の当該広告情報を送る前に当該中継端末に対して秘匿性が保持されるルートを通じて前記広告情報に付加させるパスワードを送り、
前記サーバ端末から当該中継端末に対して広告情報を含む送信対象のデータに前記パスワードを付加してから自己の公開キーを用いて暗号化してなる暗号化データを作成するように促し、
実際に当該中継端末から送られてきた前記暗号化データを自己の公開キーに対応する秘密キーを用いて復号化を行い、
前記中継端末側は、
前記パスワードを付加した広告情報を含む送信対象のデータに前記自己の公開キーを用いて暗号化することによって作成した暗号化データを前記サーバ端末に対して送り、
前記サーバ端末および前記中継端末は、
相手方の端末から送られた暗号化データを記憶する第１の記憶部と、
前記相手方の端末に送る暗号化データを記憶する第２の記憶部と、
前記相手方の端末から送られた暗号化データを前記第１の記憶部に書き込むとともに前記相手方の端末に送信する暗号化データを前記第２の記憶部から読み出す第１の情報処理装置と、
前記第１の記憶部に記憶されている暗号化データを読み出して前記自己の秘密キーを用いて復号化する第２の情報処理装置と、
前記第２の情報処理装置によって復号化されたデータに付加されていたパスワードと前記ルートを通じて送ったパスワードとを認証する認証手段と、
前記認証手段によってパスワード相互の一致が確認されたときに前記第１の記憶部に記憶されている暗号化データを復号化したデータを取得するとともに前記相手方の端末へ送信する暗号化データを前記第２の記憶部に書き込む第３の情報処理装置とを備えるとよい。
【００１２】
さらにまた、中継端末は、葬儀社、病院、又は新聞広告代理会社に設置されていると好ましい。
【発明を実施するための最良の形態】
【００１３】
以下、本発明の実施形態ついて、図面を参照して説明する。
【００１４】
図１は、本発明の実施形態の情報広告システムの模式的な構成を示すブロック図である。以下、死亡広告を例に、図１に示す情報広告システムについて説明する。
【００１５】
図１には、以下説明する、サーバ端末１００と、ユーザ端末２００と、中継端末３００と、クライアント端末４００と、ネットワーク５００と、専用線６００とを示している。
【００１６】
サーバ端末１００は、クライアント端末４００側から送信された広告依頼に付帯する広告情報を、サイトなどを通じて、ユーザ端末２００側での閲覧を可能とするものである。なお、サーバ端末１００は、一つであっても複数であってもよい。
【００１７】
サーバ端末１００が提供するサイトには、故人の氏名、故人の生年月日、故人の出身校などの生前の所属組織、故人の静止画或いは動画又は故人が作成した音楽などの著作物、故人が生前に作成した自分史、死亡日時、死亡原因、葬儀の日時、葬儀の場所（地図情報含む）、自宅住所、喪主の氏名、会葬御礼、弔辞、法事の日時、法事の場所（地図情報含む）、火葬・埋葬の日時、火葬・埋葬の場所（地図情報含む）等の故人情報（広告情報）を必要に応じて掲載するようにしている。
【００１８】
例えば、地図情報を含む種々の場所についての情報は、当該場所に付随するサイトとリンクさせることで、サーバ端末１００が運営するサイトに情報を埋め込んでおいてもよい。
【００１９】
また、このサイトには、例えばトップページに、バナー広告を掲載したり、サイト内をキーワードによって検索したり、カテゴリー別に検索したりする検索機能を設けている。故人情報の表示形態は、いくつかの雛形を用意しておき、広告主等の要望に応じた雛形に当てはめるようにしてもいいし、広告依頼主からの特別注文に応じて用意したものでもよい。
【００２０】
また、サーバ端末１００は、サイトに掲載してから、所定期間（例えば、初七日、或いは四十九日）経過した広告情報の掲載を、停止し、その旨を中継端末３００側に報知するようにしてある。広告情報の掲載の停止は、具体的には、例えば、毎日、掲載開始日等をチェックし、掲載開始日から所定期間が経過したことを条件として、掲載事項を削除する削除プログラムを用いている。
【００２１】
さらに、本実施形態では、ユーザ端末２００側から登録された故人情報の条件にヒットした情報が、サイトに掲載されたことを示す情報を含むメールマガジンを、サーバ端末１００或いは配信スタンドを通じて、ネットワーク５００を介して発行するようにしている。
【００２２】
ユーザ端末２００は、ネットワーク５００を通じて、サーバ端末１００から提供されるサイトの掲載情報を閲覧するものである。この閲覧により、弔電を送ることが可能となる。また、本実施形態では、ユーザ端末２００から、上記サイトを通じて弔文を、Ｅメールなどを用いて送信可能に構成してある。
【００２３】
また、ユーザ端末２００は、上記のように所要のメールマガジンの発行を、依頼するものである。図１には、ユーザ端末２００を一つだけ示しているが、実際には複数設けられている。
【００２４】
中継端末３００は、クライアント端末４００からの広告情報の内容が、証明情報に基づいて信頼性がある場合に、当該広告情報をサーバ端末１００にアップロードするものである。証明情報は、例えば死亡診断書或いは埋葬許可書に示す情報、又は死亡診断書等に基づいてクライアント端末４００からの広告情報の内容の信頼性を証明する情報である。
【００２５】
中継端末３００は、病院職員、葬儀社員又は新聞広告代理会社の会社員などが操作すると好ましい。換言すると、中継端末３００は、葬儀社、病院、又は新聞広告代理会社に設置されていると好ましい。中継端末３００は、一台であっても、複数であってもよい。
【００２６】
なお、中継端末３００を用いることなく、ファクシミリなどを用いて広告依頼主が、サーバ端末１００側に、広告依頼を直接行うようにしてもよい。ファクシミリを用いた場合には、広告依頼を行う紙面に広告依頼主のファクシミリ番号が印字されるので広告依頼主の身元が照会でき、広告依頼主に成りすまして偽の広告情報による広告依頼がされたか否かを判別できるからである。
【００２７】
また、広告依頼主であれば、死亡診断書を入手することもできるので、広告依頼と併せて、死亡診断書を送信するようにすれば、より広告情報の内容の信頼性が高まる。また、サーバ端末１００を、中継端末３００内に備えるようにしてもよい。
【００２８】
クライアント端末４００は、広告依頼主側に設けられており、死亡広告等を依頼するものである。広告依頼主は、遺族や喪主担当者等である。
【００２９】
サーバ端末１００、ユーザ端末２００、中継端末３００およびクライアント端末４００は、パーソナルコンピュータなどの情報処理装置、ＰＤＡ、携帯電話機など、通信可能なものであると好ましい。さらに、図２を用いて後述するように、少なくともサーバ端末１００およびクライアント端末４００は、通信機能を有する専用機であると更に好ましい。
【００３０】
ネットワーク５００は、サーバ端末１００と中継端末３００とを結ぶ、アナログ電話回線、ＩＳＤＮ電話回線、ＤＳＬ、ＣＡＴＶ、光ファイバ、インターネット、イントラネット、ＬＡＮ、ＷＡＮ、運送網などである。ネットワーク５００は、ヴァーチャルプライベートネットワークとしてもよい。
【００３１】
専用線６００は、クライアント端末４００と中継端末３００とを結ぶものである。電話回線などでもよい。なお、専用線６００に代えて、クライアント端末４００と中継端末３００とを、例えばネットワーク５００を介して接続するようにしてもよい。この場合、専用線６００は、ネットワーク５００をヴァーチャルプライベートネットワークとしたものであってもよい。
【００３２】
つぎに、中継端末３００を葬儀社員が操作し、クライアント端末４００を遺族が操作し、葬儀社員が病院から死亡診断書を病院から受ける場合を例に、図１に示す情報広告システムの動作について説明する。
【００３３】
まず、クライアント端末４００側では、広告依頼主が、クライアント端末４００を操作し、専用線６００を介して、中継端末３００に死亡広告の掲載依頼を行う。これとともに、広告依頼主は、クライアント端末４００から中継端末３００に、専用線６００を介して、種々の故人情報を提供する。
【００３４】
中継端末３００側では、クライアント端末４００側からの依頼があると、葬儀社員によって、クライアント端末４００側から提供された故人情報に基づいて、手渡し、郵送、ファクシミリ、又はネットワーク５００などを介して、病院から死亡診断書を入手する。そして、入手した死亡診断書と提供された故人情報との照合を行う。こうして、クライアント端末４００側からの掲載情報の内容の信頼性の有無を判別する。
【００３５】
なお、本実施形態では、ネットワーク５００を通じて病院から死亡診断書を入手するようにしている。そして、中継端末３００により、病院から入手した死亡診断書の記載内容とクライアント端末４００から提供された故人情報とのマッチング処理を行うことで、上記信頼性の有無を判別するようにしている。
【００３６】
中継端末３００は、死亡診断書が手書きの場合であってもマッチング処理が行えるように、文字認識手段を備えているとよい。なお、郵送、ファクシミリで死亡診断書を入手した場合には、それをスキャンなどにより中継端末３００に取り込んでからマッチング処理を行ってもよいし、葬儀社員がマッチングを行ってもよい。
【００３７】
これに代えて、広告依頼主の操作により、クライアント端末４００からネットワーク５００を通じて故人情報を送信すると共に、広告依頼主が病院から入手した死亡診断書をファクシミリで中継端末３００側へ送信するようにしてもよい。なお、この場合には、中継端末３００側では、広告依頼主から送信された死亡診断書と病院から独自に入手する死亡診断書とのマッチングを行うようにしてもよい。
【００３８】
中継端末３００側では、判別の結果、クライアント端末４００側からの広告情報が信頼できるものである場合には、死亡診断書と故人情報とを、ネットワーク５００を介して、サーバ端末１００にアップロードする。ここで、本実施形態では、信頼性が高い情報広告を行うために、中継端末３００からサーバ端末１００へ送る故人情報は、暗号化ソフトなどを用いて、暗号化するようにしている。このため、故人情報の送信に先立って、秘密キーおよび公開キー、さらにはサーバ端末１００側のサイトへのログインに必要なパスワードなどの交換を行っている。そして、中継端末３００とサーバ端末１００との間で、広告情報の通信に先立って、ワンタイムパスワードと暗号化プロトコルとの組み合わせなどによって、相互に認証を行うようにしている。
【００３９】
サーバ端末１００は、中継端末３００を通じて、クライアント端末４００側から送信された故人情報を受信すると、これを復号化し、内蔵するメモリに格納する。こうして、ユーザ端末２００側で、サイトを通じて故人情報が閲覧可能とする。
【００４０】
その後、ユーザが、ユーザ端末２００を操作することによって、ネットワーク５００を通じて、サーバ端末１００にアクセスし、サーバ装置１００側から提供される上記サイトを閲覧すれば、クライアント端末４００からの故人情報を閲覧することができる。
【００４１】
また、ユーザが、ユーザ端末２００を操作することによって、予め、既述のメールマガジンが発行されるように登録しておけば、登録した故人情報の条件にヒットした情報がサイトに掲載されたことを条件として、その旨を示す情報を含むメールマガジンが、サーバ端末１００側から、ネットワーク５００を介して発行される。
【００４２】
つぎに、より信頼性が高い情報広告を行うために、故人情報の改ざんを防止する手法について説明する。
【００４３】
図２は、図１に示すサーバ端末１００および中継端末３００の内部構成を示す模式的なブロック図である。サーバ端末１００と中継端末３００とは同様の構成としている。なお、図１に示す中継端末３００とクライアント端末４００とを、ネットワーク５００を介して接続する場合には、クライアント端末４００も図２に示すような構成とすればよい。
【００４４】
本実施形態では、サーバ端末１００と中継端末３００との間で通信を行うのに先立って、これら相互で既述の認証を行ってから、送信対象のデータを暗号化することによって作成した暗号化データを送信するようにしている。
【００４５】
このため、サーバ端末１００側と中継端末３００側との間では、データを送受信するのに先立って、それぞれ、一対の公開キーと秘密キーとを作成する。公開キーはデータを暗号化する際に用い、秘密キーは暗号化されているデータを復号化する際に用いる。そして、相互に公開キーを交換してある。
【００４６】
中継端末３００は、故人情報と以下説明するパスワードとを、サーバ端末１００の公開キーを用いて暗号化し、暗号化データをサーバ端末１００に対して送信する。一方、サーバ端末１００は、中継端末３００から送信された暗号化データを受信して、自己の秘密キーを用いて復号化を行う。
【００４７】
さらに、本実施形態では、サーバ端末１００から中継端末３００宛てに、秘匿性が保持されるルートを通じて送信対象のデータに付加させる上記パスワードを送るようにしている。なお、このパスワードは、記述のログイン用のパスワードと兼用してもよい。
【００４８】
具体的には、初回のデータを送受信するのに先立って、パスワードをサーバ端末１００から中継端末３００に送っておくようにしている。秘匿性が保持されるルートには、たとえば記憶媒体を通じた郵送によるルート、ネットワーク５００およびこれ以外の電話線等のネットワークによるルートがある。
【００４９】
サーバ端末１００は、中継端末３００から送信された暗号化データを記憶するＨＤ１７０と、中継端末３００に送信する暗号化データを記憶するＨＤ１６０とを備える。
【００５０】
なお、ＨＤ１６０，１７０は、記憶媒体としての例示であり、ＤＶＤ−ＲＡＭ、半導体ディスク等のような外部記憶装置と称される記憶媒体を用いるようにしてもよい。
【００５１】
また、サーバ端末１００は、中継端末３００から送信された暗号化データをＨＤ１７０に書き込む第２ヘッドと、送信対象の暗号化データをＨＤ１６０から読み出す第１ヘッドとを有する情報処理装置１１０を備える。
【００５２】
さらに、サーバ端末１００は、ＨＤ１７０に記憶されている暗号化データを読み出して自己の秘密キーを用いて復号化し、復号化したデータおよびパスワードをパスワードパスフィルタ１９０へ出力する情報処理装置１２０を備える。
【００５３】
さらにまた、サーバ端末１００は、情報処理装置１２０によって読み出された暗号化データに付随するパスワードと予め中継端末３００へ送っているパスワードとの認証を行い、暗号化データの送信元が中継端末３００であるという確認をしたときに、ＨＤ１７０に記憶されているデータを読み出す又は消去する第２ヘッドと、中継端末３００への送信対象の暗号化データをＨＤ１６０に書き込む第１ヘッドとを有する情報処理装置１３０を備える。
【００５４】
またさらに、サーバ端末１００は、パスワードの認証を情報処理装置１３０で行えるようにするために、パスワードだけを通し、他の属性のデータを通さないようするパスワードパスフィルタ１９０を備える。
【００５５】
パスワードパスフィルタ１９０は、情報処理装置１２０，１３０に設けられているたとえばプリンタポート、ＵＳＢポートに接続されている。なお、パスワードパスフィルタ１９０に代えて、ディスプレイ、プリンタ、スピーカなどのように、通信ユニットのユーザに対してパスワードを可視、可聴等によって報知可能なものを備え、ユーザが目視等によってパスワードの認証を行うようにしてもよい。
【００５６】
パスワードパスフィルタ１９０としてはたとえばキャラクタデータだけを通すキャラクタパスフィルタを用いることができる。
【００５７】
サーバ端末１００と中継端末３００との間で相互の公開キーを交換するとともに、サーバ端末１００から中継端末３００宛にパスワードを送信し終えた状態で、クライアント端末４００から、例えば専用線６００を介して、中継装置３００の情報処理装置３３０へ故人情報を出力する。
【００５８】
中継装置３００側で、故人情報の内容の信頼性があると判別された場合には、情報処理装置３３０は、クライアント端末４００から出力された故人情報に、サーバ端末１００から得られたパスワードを付加する。そして、これらを、サーバ端末１００側の公開キーを用いて暗号化する。暗号化した故人情報は、内蔵する第１ヘッド等を用いてＨＤ３６０に書き込む。
【００５９】
なお、２回目以降の故人情報の送信の際には、上記パスワードを故人情報に付加するか、サーバ端末１００に備えるパスワード更新手段によって更新され、送信されてきたパスワードを故人情報に付加することになる。
【００６０】
本実施形態では、情報処理装置３１０の第１ヘッドは、例えば数秒毎にステータスレジスタにアクセスして、ＨＤ３６０に暗号化データが書き込まれているか否かを判定している。ここでは暗号化データが、ＨＤ３６０に書き込みされているので、この暗号化データが情報処理装置３１０の第１ヘッドによって読み出される。読み出された暗号化データは、図示しない送信手段およびネットワーク５００を通じて、中継端末３００側からサーバ端末１００側へと送信される。
【００６１】
サーバ端末１００側では、情報処理装置１１０により、中継端末３００側からの暗号化された故人情報が受信され、ＨＤ１７０に書き込まれる。
【００６２】
その後、情報処理装置１２０は、ＨＤ１７０への暗号化データの書き込み完了を検知すると、この暗号化データをＨＤ１７０から読み出す。読み出した暗号化データは、自己の秘密キーを用いて復号化する。
【００６３】
こうして、中継端末３００から送信された故人情報およびパスワードを取得する。ひきつづき、情報処理装置１２０は、取得した故人情報およびパスワードを、内蔵するプリンタポート等を介してパスワードパスフィルタ１９０へ出力する。
【００６４】
パスワードパスフィルタ１９０は、情報処理装置１２０から出力された故人情報およびパスワードを入力すると、キャラクタデータ以外の属性の故人情報を除去することによって、パスワードを情報処理装置１３０へ出力する。
【００６５】
情報処理装置１３０は、パスワードパスフィルタ１９０から出力されたパスワードを入力すると、このパスワードとあらかじめ中継端末３００へ送ってあるパスワードとを内蔵する認証手段によって認証する。
【００６６】
認証の結果、パスワード相互が一致していない場合には、ＨＤ１７０に書き込まれている暗号化データは所要のものでなく、改ざんされていたり、ウィルスを含んでいたりする可能性があるので、情報処理装置１３０によって、ＨＤ１７０に記憶されている暗号化データをデリートするとともに、情報処理装置１２０に対してＨＤ１７０から読み出した暗号化データ等のデリート命令をする。
【００６７】
なお、図示しない報知手段によって、暗号化された故人情報が所要のものでない旨を、サーバ端末１００の管理者に報知するようにしてもよい。
【００６８】
一方、パスワード相互が一致している場合には、ＨＤ１７０に書き込まれている暗号化データは所要のものであるので、情報処理装置１３０は、この暗号化データを、第２ヘッドを用いてＨＤ１７０から読み出して、自己の秘密キーによって復号化する。
【００６９】
なお、パスワードパスフィルタ１９０を含むルートと並列に情報処理装置１２０，１３０間を直接接続可能な別ルートを設けておき、情報処理装置１３０は、パスワード相互が一致している場合にだけ物理的に別ルートを開通させ、情報処理装置１２０で復号化された故人情報を、別ルートを介して入力するようにしてもよい。
【００７０】
こうすると、情報処理装置１２０ですでに暗号化データが復号化されているので、再度複号化処理をする必要がなくなるというメリットがある。また、ＨＤ１７０で使用するチャネル数を３チャネルから２チャネルに減らせるというメリットがある。
【００７１】
以上説明したように、情報処理装置１３０にネットワーク５００の外部からの進入を防止しつつ、情報処理装置１３０で中継端末３００からの故人情報を取得することができる。
【００７２】
その後、情報処理装置１３０は、所定期間経過後に、広告情報の掲載を停止する。それから、情報処理装置１２０に対して暗号化された故人情報等をリセットするように命令する。その後、情報処理装置１３０は、広告情報の掲載を停止した旨の情報を作成する。
【００７３】
さらに、情報処理装置１３０は、パスワードを更新することによって、次の故人情報の通信の際に使用するパスワードを用意する。そして、更新したパスワードと更新前のパスワードとを、広告情報の掲載を停止した旨の情報に付加し、これを暗号化することによって暗号化データを作成し、第１ヘッドを用いてＨＤ１６０に書き込む。
【００７４】
つづいて、情報処理装置１１０は、第２ヘッドによってＨＤ１６０に書き込まれた暗号化データを読み出して、ネットワーク５００を介して、情報処理装置３３０へ送信する。
【００７５】
また、情報処理装置１２０は、情報処理装置１３０からの命令に従って、ＨＤ１７０から読み出した暗号化データ等をリセット或いはリブートして、次回、中継端末３００から送信されてくる暗号化データの入力を可能とする。
【００７６】
情報処理装置３３０は、更新前後のパスワードを受信すると、更新前のパスワードを更新後のパスワードに書き換え、次回からの故人情報の送信時には更新後のパスワードを付加するようにするともに、次回からの故人情報の受信時の認証を行えるようにする。
【００７７】
以上、本実施形態では、死亡広告を例に情報広告システムの動作を説明したが、広告内容の種別はこれに限定されず、謝罪広告、盗難広告、人事異動広告、各種総会の開催広告、社名変更広告、会社設立広告などの種々のものであってもよい。
【産業上の利用可能性】
【００７８】
本発明は、例えばネットワークを用いて広告を行う広告業に用いることができる。
【図面の簡単な説明】
【００７９】
【図１】本発明の実施形態の情報広告システムの模式的な構成を示すブロック図である。
【図２】図１に示すサーバ端末１００および中継端末３００の内部構成を示す模式的なブロック図である。
【符号の説明】
【００８０】
１００  サーバ端末
１６０，１７０  ＨＤ
１１０，１２０，１３０  情報処理装置
１９０  パスワードパスフィルタ
３００  中継端末
４００  クライアント端末
５００  ネットワーク
６００  専用線
【図１】
2005275572.tif 000003
【図２】
2005275572.tif 000004